(57)【特許請求の範囲】
【請求項１】
二つの縦端部の間に延在する内側および外側を有する溝付き円筒壁を形成するように縦軸に沿って位置合わせされた複数のプロファイルド棒であって；それぞれが放射状のプロファイルド部分および放射状のロッキング部分を有するプロファイルド棒と、
少なくとも１つの支持リングであって、前記支持リングそれぞれは、前記複数のプロファイルド棒を組み立てて前記溝付き円筒壁にするために、少なくともいくつかの前記複数のプロファイルド棒を横切るように取り付けられ、前記支持リングそれぞれは、複数の溝を前記支持リングに含み；前記溝それぞれは、前記プロファイルド棒のそれぞれひとつの前記放射状のロッキング部分の相補的な受け取りのために構成されかつ大きさが決められている、少なくとも１つの支持リングと、
を備え、
前記スクリーンバスケットは、前記支持リングと前記プロファイルド棒の前記放射状のロッキング部分とに隣接した可動のインサートをさらに備え、前記可動のインサートは、開口部を有する円板を備え、前記スクリーンバスケットは、カム作動装置であって、前記開口部内に挿入されて、半径方向に向けられたカム運動を前記円板に提供して、前記円板を前記プロファイルド棒の前記ロッキング部分に向けて半径方向に動かし、これにより固定力を提供し、前記プロファイルド棒の前記ロッキング部分を前記溝に向けて付勢するカム作動装置をさらに備えるスクリーンバスケット。
【請求項２】
前記カム作動装置は、長手方向の軸線に直交する平面が卵形とされた棒を備え、前記円板開口部は平らな縁部分を有し、これにより、前記開口部内の前記棒の回転が前記カム運動を提供することを特徴とする請求項１に記載のスクリーンバスケット。
【請求項３】
前記カム作動装置がピンを備え、これにより、前記開口部内への前記ピンの挿入が前記カム運動を提供することを特徴とする請求項１に記載のスクリーンバスケット。
【請求項４】
前記ピンがテーパー状であることを特徴とする請求項３に記載のスクリーンバスケット。
【請求項５】
前記スクリーンバスケットは、複数の第１支持リングを備える少なくとも１つの支持リング組立体を備え、前記複数の第１支持リングのそれぞれは複数の部分から組み立てられていることを特徴とする請求項１に記載のスクリーンバスケット。
【請求項６】
前記少なくとも１つの支持リング組立体は、複数の第２支持リングを備え、前記複数の第２支持リングのそれぞれは複数の部分から組み立てられていることを特徴とする請求項５に記載のスクリーンバスケット。
【請求項７】
前記第１支持リングそれぞれの前記複数の部分は、溶接、接着および留め具からなるグループから選択された締結手段を使用して組み立てられている請求項５に記載のスクリーンバスケット。
【請求項８】
前記複数の第１支持リングは、接着、ろう付け、および溶接からなるグループから選択された固定方法を使用して前記複数のプロファイルド棒に固定されている請求項５に記載のスクリーンバスケット。
【請求項９】
前記第１支持リングの前記複数の部分が前記第２支持リングの前記複数の部分に位置合わせされないように、前記第１および第２支持リングが前記支持リング組立体に組み立てられている請求項６に記載のスクリーンバスケット。
【請求項１０】
前記溝付き円筒壁の前記二つの縦端部のそれぞれひとつにそれぞれが取り付けられた上部および下部フランジをさらに備え；前記支持リング組立体は、前記溝付き円筒壁の周囲に間隔の空いた複数の縦棒を使用して前記複数のプロファイルド棒に固定され；前記第１および第２支持リングには前記縦棒を受け入れるための穴が設けられている請求項６に記載のスクリーンバスケット。
【請求項１１】
複数のくしをさらに備え、前記支持リング組立体の前記溝付き円筒壁に沿った縦方向の位置を決めるために、各くしは前記縦棒のそれぞれひとつを受け入れ；前記くしは上部および下部フランジ双方の間に固定され、かつ前記支持リング組立体を受け入れるための縦の切欠きを含む請求項１０に記載のスクリーンバスケット。
【請求項１２】
前記穴はその中に平らな部分を形成するようにＤ字形であり、および前記第１および第２支持リングが前記縦棒の大きい直径が前記穴の対応する平らな部分に位置合わせされている第１非テンション位置から、前記縦棒が前記平らな部分に接触するテンション位置に、前記複数のプロファイルド棒に関して動くことができるように、前記縦棒は、長手方向の軸線に直交する平面が卵形である請求項１０に記載のスクリーンバスケット。
【請求項１３】
前記複数の第２支持リングそれぞれが少なくともいくつかの前記複数のプロファイルド棒を横切るように取り付けられ；前記複数の第２支持リングそれぞれは、複数の溝を含み、かつ前記プロファイルド棒のそれぞれひとつの前記放射状のロッキング部分を相補的に受容するよう構成されかつ大きさが決められ；少なくともひとつの前記支持リング組立体は、少なくともひとつの前記第１および第２支持リングに積み重なった関係に取り付けられた押し込み円板をさらに含み；前記第１および第２支持リングは、第１および第２整合穴をそれぞれ含み；前記押し込み円板が第３穴を含み、該第３穴が前記少なくとも第１および第２整合穴から偏っていることにより、前記第１、第２および第３穴へのピンの挿入が前記プロファイルド棒の前記ロッキング部分と前記第１および第２支持リングとを接触させる請求項１０に記載のスクリーンバスケット。
【請求項１４】
前記プロファイルド棒の前記放射状のロッキング部分に対してロッキング力を生じさせるように、前記第１および第２支持リングが前記支持リング組立体のそれぞれに互いに取り付けられるとともに前記複数のプロファイルド棒に取り付けられ、それにより前記プロファイルド棒がその上にロックされる請求項６に記載のスクリーンバスケット。
【請求項１５】
前記放射状ロッキング部分が、前記中間断面より広い少なくともひとつの放射状断面を含む不規則な断面を有する請求項５に記載のスクリーンバスケット。
【発明の詳細な説明】
【技術分野】
【０００１】
パルプ製紙工業におけるパルプスクリーニングは、大きすぎる不純物、繊維束、木片の除去、および／または長い繊維および短い繊維および／または硬い繊維および軟らかい繊維の分類のために、完成紙料が圧縮される圧力スクリーンにて通常行われる。いくつかの圧力スクリーン構成が現在使用されている。主な二つの構成は、実質的に円筒の外向き流れのバスケットを使用した圧力スクリーン、および実質的に円筒の内向き流れのバスケットを使用したスクリーンである。圧力スクリーンは、通常アクセプト紙料がスクリーンバスケットの穴または溝を通る必要がある。スクリーンバスケットまたはウェッジワイヤバスケット開口部を通るには大きすぎる排除品は、排除出口から外に出る。溝または穴が詰まるのを防ぐためにローターが使用される。ローターは、スクリーニング面が詰まる状態を回避するのに十分な洗浄動作が行われるための圧力脈動を生成する。
【０００２】
アグレッシブローターの利用において、スクリーンバスケットはローターによって生成された圧力脈動からの高い動的負荷にさらされる。このような利用において、ウェッジワイヤバスケットのリングの疲労破壊が通常観察されるため、ミル加工溝またはドリル加工バスケットに戻ってしまうことが多く、許容できるスクリーンバスケット寿命を得るためには、能力および／または効率が損失してしまう。
【先行技術文献】
【特許文献】
【０００３】
【特許文献１】国際公開第２００６／１１９６１４号パンフレット
【発明の概要】
【発明が解決しようとする課題】
【０００４】
ウェッジワイヤバスケットは、最も一般的には溶接された組立体である。これらの構造のバスケッは、様々な程度のゆがみ、残留応力、溶接された継手形状および通常溶接プロセスに最も関連した溶接欠陥による応力集中に悩まされる。
【０００５】
商業的に利用可能なスクリーンバスケットの中で、ウェッジワイヤバスケットは、バスケット全体の長さにわたって延在する連続的な溝から得られた広い開口領域を提供する。ワイヤ製造において使用される冷間引抜き工程の正確さは、正確な溝の幅および繰り返される外形形状を達成するために使用することができ、ミル加工溝またはドリル加工バスケットより高い効率および能力の提供に貢献する。
【０００６】
一般のウェッジワイヤスクリーンバスケットは、通常支持リングに様々な方法によって恒久的に結合された複数のウェッジワイヤ（プロファイルド棒）を備える。「恒久的に結合」という言葉は、棒を支持リングから除去するために破壊的な方法、例えば切断、研磨、化学的侵食等が必要であるという意味に理解されるべきである。支持リングは、スクリーニング中にバスケットにかかる負荷に耐えるために使用される。激しい利用のために、スクリーンバスケットは追加的な溶接または焼きばめリングまたは補助ジャケット（ｂａｃｋｉｎｇ  ｊａｃｋｅｔ）を使用して強化されることが多い。
【０００７】
主構造部分を再使用するために、交換可能なスクリーニング部材を使用するいくつかの試みが製造業者によってなされてきた。しかし、これら部材の製造は費用がかかり、かつ再構築の際にいくつかのステップおよびさらなる材料が必要になる。また、例えばケージまたは補助ジャケットのようなデバイスを固定することにより開口領域における損失が発生することがある。最後に、組み立て方法により溝および外形の正確さおよび均一性が損なわれる。
【図面の簡単な説明】
【０００８】
【図１】第一実施形態による取り外し可能なスクリーンバスケットの斜視図である。
【図２】図１の部分断面斜視図である。
【図３Ａ】第１、第２および第３実施形態によるスクリーンバスケットの支持リング組立体のロッキング部分および対応する相補的な溝の裏の外形を示す上面断面図である。
【図３Ｂ】第１、第２および第３実施形態によるスクリーンバスケットの支持リング組立体のロッキング部分および対応する相補的な溝の裏の外形を示す上面断面図である。
【図３Ｃ】第１、第２および第３実施形態によるスクリーンバスケットの支持リング組立体のロッキング部分および対応する相補的な溝の裏の外形を示す上面断面図である。
【図４】第４実施形態によるスクリーンバスケットの部分断面斜視図である。
【図５】図４のリング組立体の分解組立図である。
【図６】第５実施形態によるスクリーンバスケットの部分断面斜視図である。
【図７】圧縮される前の圧縮性インサートを示す、図６のスクリーンバスケットのプロファイルド棒および支持リング組立体の組立体の隔離された半径方向の断面図である。
【図８】圧縮された圧縮性インサートを示す、図６のスクリーンバスケットのプロファイルド棒および支持リング組立体の組立体の隔離された半径方向の断面図である。
【図９】第６実施形態によるスクリーンバスケットの部分断面斜視図である。
【図１０】第７実施形態によるスクリーンバスケットの部分断面斜視図である。
【図１１】第８実施形態によるスクリーンバスケットの部分断面斜視図である。
【図１２】プロファイルド棒を支持リング組立体に固定するために使用される固定機構の部分上面図であり、固定機構は力がかかっていない位置にある。
【図１３】力がかかった位置の図１２の固定機構の部分上部図である。
【図１４】プロファイルド棒を支持リング組立体に固定するために使用される代替固定機構の部分側面図であり、固定機構は、力がかかっていない位置にある。
【図１５】力がかかった位置の図１４の代替固定機構の部分上部図である。
【発明を実施するための形態】
【０００９】
一般的に図示された実施形態によると、バスケットの全長を覆う複数の連続的な溝を形成するために円周方向に均等に離れたプロファイルド棒（ｐｒｏｆｉｌｅｄ  ｂａｒ）を含むスクリーンバスケットが提供される。プロファイルド棒は、プロファイルド棒のための補助構造を形成する支持リングによって所定の場所に固定される。支持リングおよび／または溝円板は、少なくとも二つの部分から作られている。
【００１０】
以下の説明において、図面における類似した特徴は類似した符号が付与され、図を簡単にするために前の図で既に説明された部材については、いくつかの図において参照していない。
【００１１】
添付図面の図１〜図２を参照すると、第一実施形態によるスクリーンバスケット１０が示されている。
【００１２】
取り外し可能なスクリーンバスケット１０は、スクリーニング面を形成する内側１６および外側１８を有する溝付き円筒壁１５を形成するように縦軸１４に沿って位置合わせされ、かつ配置された複数のプロファイルド棒１２を備える。プロファイルド棒１２は、二つの縦端部２０の間に延在する。またバスケット１０は、複数のプロファイルド棒１２を溝付き円筒壁１５に組み立てるために複数のプロファイルド棒１２を横切るように取り付けられた複数の支持リング組立体２２と、一対の環状端部フランジ２４と、支持リング組立体２２を固定するために位置しかつ寄与するための複数の締め付けポスト２６とを含む。
【００１３】
図２から明らかなように、各プロファイルド棒１２は、以下に説明するように支持リング組立体２２に取り付けられるように構成されたありほぞ部２８を有する。
【００１４】
各支持リング組立体２２は、上部組立て支持リング３０および下部組立て支持リング３２を含む。双方の支持リング３０および３２には、プロファイルド棒１２のありほぞ部２８に相補的な全く同一の等間隔の溝３４が設けられている。したがって、プロファイルド棒１２が半径方向に解放されることを防いでいる。しかし、各プロファイルド棒１２は、支持リング組立体２２に沿ってスライド可能であり、したがって支持リング組立体に取り外し可能に取り付けられている。つまり、プロファイルド棒１２を溝３４に簡単に取り付けるために、ありほぞ部２８および溝３４は、それらの間にクリアランスが生じるような寸法になっている。
【００１５】
溝３４は、スクリーンバスケット１０のような外向き流れスクリーンバスケット形状ではリング３０および３２の内側の直径に位置している。内向き流れスクリーンバスケット形状（図示せず）では、溝３４は、リング３０および３２の外側の直径に位置し、締め付けポスト２６はバスケットの内側に位置している。
【００１６】
リング３０および３２は組立前に製造され、かつ組立溝３４を既に含んでいることに注意すべきである。
【００１７】
上述したように、上部および下部リング３０および３２は、組立式である。言い換えれば、各リング３０および３２は少なくとも二つのリング部分３６、３６’から作られている。もちろんリング部分の数は変えることができる。
【００１８】
それぞれの部分３６〜３６’の位置が合わないように、または等しい数および同じ弧の長さとならないようにリング３０および３２は組み立てられる。部分３６または３６’を組み立てるために溶接、接着材または留め具を使用することができる。
【００１９】
支持リング３０、３２の積み重ねを押し付けるために、リングの各ペアは例えば等間隔の円周位置で締め付けポスト２６によって共に締め付けられる。締め付けポスト２６は、リング３０〜３２のペアを受け入れるための縦の切欠き４０が設けられたくし形をしている。
【００２０】
締め付けくし２６がＶまたはＵ字形状の細長い部材として図示されているが、例えばまた管状とすることもできる。締め付けくし２６はさらに支持リング組立体２２を受け入れるために取り付けられたＶ字状のブラケット（図示せず）を設けた細長い梁状部材の形とすることができる。
【００２１】
支持リング組立体２２をバスケット長さにそった所望の位置に均一または可変な間隔にて設置するように、例えばバスケット１０のより重要な部分ではリングペア間隔を狭めるように、切欠き４０が分布している。
【００２２】
より具体的には、支持リング組立体２２には棒４２を受け入れる同軸穴３８がそれぞれ設けられている。
【００２３】
引き続き図２を参照すると、バスケット１０はまた、フランジ２４に当接するように締め付けくし２６の縦方向端部それぞれに取り付けられた端部リング５２を含む。各端部リング５２は、くし２６に接触する溝付きリングである。
【００２４】
棒４２は、上部および下部リング５２の穴３８に挿入される。
【００２５】
また下部リング５２はねじ部品がフランジ２４のねじ開口部（図示せず）に入ることができるような留め具穴（図示せず）を含む。
【００２６】
また締め付けくし２６は、支持リング組立体２２およびプロファイルド棒１２の角度を示すように位置することができ、したがって例えば図１〜２に図示するようなプロファイルド棒１２に合わせる位置に制限されない。
【００２７】
バスケット１０は等間隔の締め付けくし２６を有して図示されているが、非等間隔の締め付けくし２６を設けることもできる。
【００２８】
またプロファイルド棒１２、支持リング組立体２２、および締め付けくし２６の数を変えることができる。
【００２９】
さらに、スクリーンバスケット１０は外向き流れに適したスクリーンとして説明されているが、当業者の範囲内にて内向き流れ利用に本技術を適合させることができることは言うまでもない。例えばこのような場合、支持リング組立体２２、端部リング５２および締め付けくし２６は、プロファイルド棒１２によって形成された円筒の内側に位置し、プロファイルド部分は、円柱の外側に位置する。
【００３０】
また締め付けくし２６は、支持リング組立体２２の間の軸分離を決定するために使用されるスペーサブロック（図示せず）に置き換えることができる。
【００３１】
下記に示すように、溶接および接着に限らずプロファイルド棒１２をリング３０および３２に組み立てるために締め付けくし２６以外の他の固定手段をまた使用することができる。
【００３２】
バスケット１０は、支持リング組立体２２（例えば図３Ａ参照）に取り付けられるように構成されたありほぞ部を有するプロファイルド棒１２が備えられて説明されているが、このような形に制限されない。
【００３３】
例えば、図３Ｂは、第２実施形態によるテーパー形を有するロッキング部５８を含むプロファイルド棒５６を示している。支持リング６０は、ロッキング部分を容易に挿入することができるよう相補的な部分６２を有する。
【００３４】
図３Ｃは、第３実施形態による直線固定部６６を含むプロファイルド棒６４を示している。この第３実施形態による支持リング６８は、相補的な長方形の受容部７０を有する。この第３実施形態によると、プロファイルド棒６４および支持リング６８は、さらに接着、溶接，ろう付けまたは他の同様な方法を用いて組み立てられる。
【００３５】
図４を参照すると、第４実施形態によるスクリーンバスケット８０が示される。スクリーンバスケット８０は、スクリーンバスケット１０に類似しており、かつ簡潔にするため、二つのスクリーンバスケット相違点のみ以下に説明する。
【００３６】
スクリーンバスケット８０は、溝付き円筒壁１５を形成するように配置された複数のプロファイルド棒１２を備える。プロファイルド棒１２は、二つの縦端部２０の間に延在する。またバスケット８０は、複数のプロファイルド棒１２を溝付き円筒壁１５に組み立てるために複数のプロファイルド棒１２を横切るように取り付けられた複数の支持リング組立体８２を含む。
【００３７】
図５を簡単に参照すると、各支持リング組立体８２は、一対の組み立てリング８４を含む。各組み立てリング８４は、複数のリング部分８６（各リング８４には４つ図示されている）から組み立てられている。例えば支持リング８４の製造工程を簡素化するために、リング部分８６は同じ弧の長さとすることができる。もちろんリング部分の数を変えることができる。
【００３８】
支持リング８４には、プロファイルド棒１２のありほぞ部分２８に相補的な全く同一の等間隔の溝８８が設けられる。
【００３９】
リング８４は、組み立て前に製造され、かつ組立溝８８を既に含んでいることに注意すべきである。この第４実施形態によると、リング部分８６は、接着または溶接を用いて端部と端部が恒久的に固定される。さらなる実施形態（図示せず）によると、リング部分８６は、留め具を用いて組み立てられる。また締め付け方法は組み合わせることができる。
【００４０】
また複数のプロファイルド棒１２は、接着、溶接またはろう付けを用いて支持リング８４に恒久的に固定され、バスケット８０を組み立てるために他の固定手段は使用されない。しかし、当業者には理解されるように、ほとんどの利用において十分な剛性を有するバスケット８０とするために各リング組立体８２は各プロファイルド棒１２に固定される必要がない。
【００４１】
第１実施形態によるリング組立体２２のリング部分３６および３６’とは逆に、それぞれの部分８６の位置を合わせるように二つのリング８４を組み立てることができる。さらにリング８４が例えば溶接によってプロファイルド棒１２に固定される場合は、リング組立体８２のうちひとつのリング８４を使用することができる。
【００４２】
添付図面の図６〜図８を参照すると、第５実施形態によるバスケット１００が説明されている。スクリーンバスケット１００はスクリーンバスケット１０に非常に似ており、簡略化のため、バスケット１０および１００の相違点のみを以下に詳細に述べる。
【００４３】
一般的に説明すると、二つのバスケット１０および１００の主な相違点は、スクリーンバスケット１０の支持リング組立体２２と異なるスクリーンバスケット１００の支持リングリング組立体１０２である。支持リング組立体１０２を固定するための手段もまた異なる。
【００４４】
各支持リング組立体１０２は、バスケット１００の円周に沿って延在する上部および下部組み立てリング１０４、１０６を含む。上部および下部組み立てリング１０４および１０６はそれぞれ、少なくとも二つの角度セグメントによって作られている。また支持リング組立体１０２は、少なくとも二つの角度セグメントから作られ、上部および下部組み立てリング１０４および１０６の間に取り付けられた中間組み立て溝付き円板１０８を含む。中間組み立て溝円板１０８は、図２の溝円板３０および３２に類似している。
【００４５】
溝付き円板１０８は、以下に詳細に説明するようなプロファイルド棒１２のありほぞ部分２８を受容する相補的な溝３４を含む。
【００４６】
支持リング組立体１０２は、それぞれの支持リング１０４、１０６およびプロファイルド棒１２に隣接する溝付き円板１０８の間に配置されたリングの形の二つの圧縮性インサート１１０をさらに備える。各支持リング１０４，１０６の内側には、支持リング組立体１０２が図５に示すように圧縮された場合にインサート１１０をプロファイルド棒１２に偏らせるための面取り部１１２が設けられている。また図５に示すように、支持リング組立体１０２は、溝３４に向かって棒１２のありほぞ部を押し付け、ロッキング効果を提供する。このロッキング効果は、交換可能プロファイルド棒を有するスクリーンバスケットと題する２００６年１１月１６日公開の特許文献１に記載されている。
【００４７】
約２０ＧＰａより低いヤング率の任意のエラストマー材料がインサート１１０としての使用に適していることが分かっている。
【００４８】
もちろん、支持リング１０４，１０６および中間溝付き円板１０８には、棒４２が通ることができる穴１１４が設けられている。より高い安定性を提供するために、支持リング１０４，１０６および中間溝円板１０８の各部分が、少なくともひとつのこのような穴１１４を含み、したがって少なくともひとつの棒４２を受け入れるように穴１１４が配置される。支持リング組立体１０２の構造の完全性を向上させるために、ひとつの支持リング組立体１０２を形成している二つの支持リング１０４，１０６および中間溝円板１０８の継目は、オフセットされていることに注意しなければならない。
【００４９】
セグメント化された支持リング１０４および１０６およびセグメント化された溝付き円板１０８を形成する部分の数はもちろん変えることができる。通常６つの角度セグメントが各要素に使用される。
【００５０】
添付図面の図９を参照すると、第６実施形態によるスクリーンバスケット２００が示されている。およびスクリーンバスケット２００が上述したスクリーンバスケット１００に類似しているため、これらスクリーンバスケットの相違点のみを以下に述べる。
【００５１】
一般的に、スクリーンバスケット２００およびスクリーンバスケット１００の主な相違点は、支持リング組立体２０２に関する。この組立体２０２は、二つのセグメント化された支持円板２０８および２１０の間に挟まれた二つのセグメント化された中間溝円板２０４および２０６を含む。
【００５２】
スクリーンバスケット２００の他の特徴および作用は、スクリーンバスケット１００に類似している。
【００５３】
添付図面の図１０を参照すると、第７実施形態によるスクリーンバスケット３００が示される。簡略化のため、およびスクリーンバスケット３００が上述したスクリーンバスケット１００および２００類似しているため、これらスクリーンバスケットの相違点のみを以下に述べる。
【００５４】
一般的に、スクリーンバスケット３００およびスクリーンバスケット２００の相違点は、支持リング組立体３０２に関する。この組立体３０２は、セグメント化された下部支持円板３０８およびセグメント化されていない上部支持円板３１０の間に挟まれた二つのセグメント化された中間溝円板３０４および３０６を含む。
【００５５】
もちろん図示されない実施形態において、下部支持円板がセグメント化されず、かつ上部支持円板がセグメント化されることが可能であることは当業者には理解されるだろう。
【００５６】
スクリーンバスケット３００の他の特徴および作用は、スクリーンバスケット１００に類似している。
【００５７】
添付図面の図１１を参照すると、第８実施形態によるスクリーンバスケット４００が示される。簡略化のため、およびスクリーンバスケット４００が上述したスクリーンバスケット１００，２００および３００に類似しているため、これらスクリーンバスケットの相違点のみを以下に述べる。
【００５８】
一般的に、スクリーンバスケット４００およびスクリーンバスケット３００の主な相違点は、支持リング組立体４０２に関する。この組立体４０２は、二つのセグメント化されていない支持円板４０８および４１０の間に挟まれた二つのセグメント化された中間溝円板４０４および４０６を含む。
【００５９】
スクリーンバスケット４００の他の特徴および作用は、スクリーンバスケット１００に類似している。
【００６０】
添付図面の図１２および図１３を参照すると、プロファイルド棒１２を締め付けくし２６に解放可能に固定する方法および機構が示される。締め付けくし２６または類似の機構を含む上述した任意の実施形態に対して、および示された実施形態を混ぜ合わせた特徴の図示されない実施形態に対してこの方法および機構が使用できることに注意すべきである。
【００６１】
一般的に、固定機構は、プロファイルド棒１２のありほぞ部分２８を溝付き円板５０２の溝３４に保持するためにカム運動を使用する。
【００６２】
したがって、図２の固定棒４２に相当する固定棒５０４は、卵形を有し、および支持円板５０８の開口部５０６は略Ｄ形状である。
【００６３】
図１２は、力のかかっていない位置の組立体を示す。この位置において、棒５０４の最大直径は穴の平らな部分に位置合わせされている。
【００６４】
棒５０４が回転される場合（図１３の矢印５１０参照）、支持円板を半径方向に移動させるように（矢印５１４参照）卵形の棒５０４は、開口部５０６の平らな部分５１２に接触し、したがってありほぞ部２８および溝３４の間の接点に力がかかる。それに応じて、棒５０４が図１０に示される力がかかった位置にある間、棒１２は支持円板５０８に保持される。図１３のダッシュラインは、支持円板５０８および棒１２の初期位置を示していることに注意すべきである。
【００６５】
添付図面の図１４および図１５を参照すると、プロファイルド棒１２を締め付けくし２６に解放可能に固定する他の方法および機構が示される。締め付けくし２６または類似した機構を含む上述の任意の図示された実施形態および示された実施形態の特徴を混合した図示されない実施形態にこの方法および機構を使用することができる。
【００６６】
一般的に、図１４および図１５に示される固定機構は、プロファイルド棒１２のありほぞ部分２８を溝付き円板６０４および６０６の溝３４に保持するためにカム運動を使用する。しかし、円形でない棒の図１２および１３のカム運動に対して、使用されるピン６１２は円形であり、かつ溝円板６０４および６０６の開口部６１６に位置合わせされない押し込み円板６０８および６１０の開口部６１４に挿入される。
【００６７】
したがって、円形ピン６１２が開口部に挿入される場合（図１５参照）、開口部６１４は、開口部６１６の位置に合わせられ、それにより押し込み円板６０８および６１０を半径方向に動かし（矢印６１８参照）、再度ありほぞ部分２８および溝３４の接点に力をかける。
【００６８】
ピン６１２は、開口部６１４および６１６に簡単に挿入するために軽く面取りされていることに注意すべきである。あるいはピン６１２はテーパー状とすることができる（図示せず）。
【００６９】
さらなる実施形態によると、例えば溶接、接着またはろう付けを用いて部分３６〜３６’またはリングが組み立てられる間、プロファイルド棒１２のありほぞ部分２８を溝３４に押し込むために棒またはくしまたは他の任意の同等手段が使用される。
【００７０】
上述のスクリーンバスケットは、固定保持されるスクリーニング装置、または軸に沿った一定または間欠回転のスクリーニング装置、または一定または間欠振動または移動のスクリーニング装置にて使用することができる。
【００７１】
プロファイルド棒，支持リング組立体および支持部は、任意の形または外形に一致するように作ることができ、および締め付けポストは平ら、湾曲、階段状、円錐等のスクリーニング表面となるように構成され、かつ大きさが決められる。
【符号の説明】
【００７２】
１０  スクリーンバスケット
１２  プロファイルド棒
１４  縦軸
１５  溝付き円筒壁
１６  内側
１８  外側
２０  縦端部
２２  支持リング組立体
２４  環状端部フランジ
２６  締め付けポスト
２８  ありほぞ部
３０  上部組立て支持リング
３２  下部組立て支持リング
３４  溝
３６  リング部分
３８  穴
４０  切欠き
４２  棒
５２  端部リング
５６  プロファイルド棒
５８  ロッキング部
６０  支持リング
６２  相補的な部分
６６  直線固定部
６８  支持リング
７０  受容部
８０  スクリーンバスケット
８２  支持リング組立体
８４  組み立てリング
８６  リング部分
８８  溝
１００  スクリーンバスケット
１０２  支持リング組立体
１０４  上部組み立てリング
１０６  下部組み立てリング
１０８  中間組み立て溝付き円板
１１０  インサート
１１２  面取り部
１１４  穴
２００  スクリーンバスケット
２０２  支持リング組立体
２０４  中間溝円板
２０６  中間溝円板
２０８  支持円板
２１０  支持円板
３００  スクリーンバスケット
３０２  支持リング組立体
３０４  中間溝円板
３０６  中間溝円板
３０８  下部支持円板
３１０  上部支持円板
４００  スクリーンバスケット
４０２  支持リング組立体
４０４  中間溝円板
４０６  中間溝円板
４０８  支持円板
４１０  支持円板
５０２  溝付き円板
５０４  固定棒
５０６  開口部
５０８  支持円板
６０４  溝付き円板
６０６  溝付き円板
６０８  押し込み円板
６１０  押し込み円板
６１２  ピン
６１４  開口部
６１６  開口部
【図１】
0005465181.tif 000002
【図２】
0005465181.tif 000003
【図３Ａ】
0005465181.tif 000004
【図３Ｂ】
0005465181.tif 000005
【図３Ｃ】
0005465181.tif 000006
【図４】
0005465181.tif 000007
【図５】
0005465181.tif 000008
【図６】
0005465181.tif 000009
【図７】
0005465181.tif 000010
【図８】
0005465181.tif 000011
【図９】
0005465181.tif 000012
【図１０】
0005465181.tif 000013
【図１１】
0005465181.tif 000014
【図１２】
0005465181.tif 000015
【図１３】
0005465181.tif 000016
【図１４】
0005465181.tif 000017
【図１５】
0005465181.tif 000018